(57)【要約】【課題】運搬、保管、荷役などの際に、被梱包機器が受ける衝撃を緩和して損傷や変形を防止することができ、その上梱包作業が容易でコストを低減できる梱包構造、梱包方法及び梱包装置を提供する。【解決手段】被梱包機器１をターンテーブル５上に回転可能に設置すると共に、被梱包機器１の高さとほぼ等しい幅でロール状に巻かれた梱包材１０を回転可能に配置し、梱包材１０を引き出してその先端部を被梱包機器１の外周に固定し、被梱包機器１を回転させてその外周に梱包材１０を巻き付け、その上端部に天キャップを装着した。【選択図】図２
2010260558.tif 000002
【特許請求の範囲】
【請求項１】
貯湯式給湯器などの機器の梱包構造であって、
前記機器の外周に巻き付けられたシート状の梱包材を備えたことを特徴とする梱包構造。
【請求項２】
前記機器の外周に巻き付けられた状態の前記梱包材の上端部に嵌合する天キャップを備えたことを特徴とする請求項１記載の梱包構造。
【請求項３】
前記梱包材が、前記機器の外周に重ね巻きされ、この重ね巻きされた梱包材部分により補強面が形成されることを特徴とする請求項１又は２記載の梱包構造。
【請求項４】
前記梱包材が、片面段ボールであることを特徴とする請求項１〜３のいずれかに記載の梱包構造。
【請求項５】
貯湯式給湯器などの機器の梱包方法であって、
前記機器の外周にシート状の梱包材を巻き付け、該梱包材の巻き端部分を固定することを特徴とする梱包方法。
【請求項６】
貯湯式給湯器などの機器の梱包装置であって、
前記機器を回転可能に載置するターンテーブルと、
鉛直方向の軸中心に巻き取り収容されたシート状の梱包材かなるロールを回転さることにより、梱包材を前期ターンテーブル上の機器に向けて供給する梱包材供給部と、
を備え、
前記ターンテーブルを回転させながら、前記梱包材供給部から供給される梱包材を前記機器に巻き付けることを特徴とする梱包装置。
【発明の詳細な説明】
【技術分野】
【０００１】
本発明は、例えば、貯湯式給湯器などの機器の梱包構造、梱包方法及び梱包装置に関するものである。
【背景技術】
【０００２】
例えば、貯湯式給湯器は、通常、円筒状の貯湯タンクが金属板からなる直方体状の外装ケース内に収容されており、運搬や荷役時に外装ケースが破損したり変形したりすることのないように、外装ケースの外周を、梱包装置によって梱包している（以下の説明では、外装ケース及びこれに収容された貯湯タンクを一括して貯湯式給湯器という）。そして、梱包された貯湯式給湯器を移動のため運搬車に積み込む場合は、運搬中の転倒防止や荷役作業を容易にするために、貯湯式給湯器の大きさや重量などに応じて、荷台に横積みにするか縦積みにするか、適宜選択される。
【０００３】
限られたスペースに設置される貯湯式給湯器は、給湯容量を確保するために、背丈が高く重量が大で大型である。そのため、運搬や荷役の際の横揺れによって転倒したり、周囲の物品と衝突したりすることがあり、これによって貯湯式給湯器（外装ケース）が破損したり変形したりするのを防止するために、通常、運搬車に横積みし、また、運搬車に積み込んだり積み降したりする際は、運搬車の荷台上を滑らしながらずり上げたりずり下げたりする場合が多い。
【０００４】
そのため、横積みした貯湯式給湯器の大きい側面上に他の物品が上積みされて、外装ケースが損傷したり変形したりすることがあり、また、運搬車に積み込んだり積み降したりする際に、荷台との摩擦によって外装ケースが損傷したり変形したりするおそれがあった。
【０００５】
このような問題を解決するために、従来の梱包装置に、貯湯式給湯器の如き被梱包機器の外周面を、段ボールからなる梱包用外装箱を構成する四角筒状の胴部（スリーブ）で覆ってその上部を蓋部で閉塞し、胴部の一方の面の両角部に段ボールからなる一対の補強材を設けたものがある（例えば、特許文献１参照）。
【０００６】
また、被包装物の上下面に緩衝材を配置すると共に、被包装物の一方の対向する側面に側面用緩衝材を配設し、これらを締結部材により一体に締結するようにした梱包構造が開示されている（例えば、特許文献２参照）。
【先行技術文献】
【特許文献】
【０００７】
【特許文献１】特開２００７−３２６６０８号公報（第３−５頁、図１，２）
【特許文献２】特開２００２−３３７９２４号公報（第３−５頁、図１−３）
【発明の概要】
【発明が解決しようとする課題】
【０００８】
特許文献１の梱包装置によれば、運搬車への横積み時、及び積み込みや積み降しなどの際に補強材により外部からの衝撃が緩和されるので、外装ケースの損傷や変形を防止することができる。しかしながら、段ボールからなり被梱包機器の外周を覆う梱包用外装箱の胴部（スリーブ）は、大きさの制約により一体成形ができないため、抜き型によって複数に分割した胴部を製作し、これを連結して構成していた。
【０００９】
このため、連結部の強度を高くする必要があり、真鍮素材からなる金属ステープルなどを用いて連結しているが、これらにより製造コストが高くなるばかりでなく、一体成形の場合より緩衝性能が低下するという問題があった。また、連結材料は段ボールと素材が異なるため、梱包材を用済み後廃棄処分する場合に、段ボールと連結部材とを分別しなければならないので、面倒であった。
【００１０】
さらに、梱包用外装箱の胴部は四角筒状に形成されているので、梱包時に被梱包機器の上方から嵌合しなければならない。このため、梱包場所の上方に高い空間が確保されていなければならず、梱包場所が制約されるという問題があった。開梱時においても同様である。
【００１１】
また、特許文献２の梱包構造は、被梱包物の一方の対向する側面のみを側面用緩衝材で覆うようにしており、他方の対向する側面は開放されているため、運搬時や荷役時に被梱包物の開放された側面が、破損したり変形したりするおそれがある。
【００１２】
本発明は、上記の課題を解決するためになされたもので、運搬、保管、荷役などの際に、被梱包機器が受ける衝撃を緩和して損傷や変形を防止することができ、その上梱包作業が容易でコストを低減できる梱包構造、梱包方法及び梱包装置を提供することを目的としたものである。
【課題を解決するための手段】
【００１３】
本発明は、貯湯式給湯器などの機器の梱包構造であって、前記機器の外周に巻き付けられたシート状の梱包材を備えたことを特徴とするものである。
【発明の効果】
【００１４】
本発明によれば、機器の外周を梱包材により梱包し、運搬、保管、荷役などの際に機器に加わる衝撃を緩和するようにしたので、機器の損傷や変形を防止することができる。
また、機器の外周に梱包材を巻き付けて梱包するようにしたので、梱包材をあらかじめスリーブ状に製造する必要がないため梱包作業が容易で、コストを低減することができ、その上、梱包及び開梱作業に場所的制約を受けることがない。
【図面の簡単な説明】
【００１５】
【図１】本発明の一実施の形態に係る機器の梱包構造の説明図である。
【図２】図１の梱包手順の説明図である。
【図３】図２の機器の外周の梱包状態を示す平面図である。
【図４】図２の機器の梱包状態を示す説明図である。
【図５】図２の機器の外周の他の梱包状態を示す平面図である。
【図６】図４の梱包した機器を運搬車に横積みした状態を示す説明図である。
【図７】図４の梱包した機器を運搬車に積み込み又は積み降す状態を示す説明図である。
【発明を実施するための形態】
【００１６】
本発明に係る機器の梱包構造を説明するための図１において、１は金属板からなる直方体状の外装ケース２内に、円筒状の貯湯タンク（図示せず）が収容された被梱包機器である貯湯式給湯器で、下面には複数の脚部３ａ，３ｂ，３ｃが設けられており、この脚部３ａ〜３ｃは架台４に固定されている。１０は貯湯式給湯器１（外装ケース２）の外周に巻き付けて梱包する梱包材（以下、貯湯式給湯器の外周に巻き付けた四角筒状の梱包材１０の状態を、スリーブと云うことがある）、１５はスリーブの上端部を覆う天キャップである。
【００１７】
次に、図２により貯湯式給湯器１の外周を梱包材１０で梱包する手順について説明する。
図２において、貯湯式給湯器１が固定された架台４は、ターンテーブル５上に回転可能に設置される。また、ＪＩＳ用語で片面段ボールと呼ばれる、柔軟性を有しその幅が外装ケース２の高さとほぼ等しい長尺の梱包材１０を、あらかじめ凹凸面を内側にしてロール状に巻いて原反１１を形成し、この原反１１をターンテーブル５の近傍に配置された基台１２上に回転可能に設置したものである（以下、原反１１と基台１２を合わせて梱包材供給部ということがある）。
【００１８】
そして、原反１１から梱包材１０を引き出し、その先端部１０ａを貯湯式給湯器１（外装ケース２）の面２ａの角部に粘着テープ１３などで貼り付ける。ついで、貯湯式給湯器１を回転させ、その外周に梱包材１０を巻き付ける。
貯湯式給湯器１を１回転させて全周に梱包材１０を巻き付けたのち、さらに９０°回転させて、図３に示すように、最初に梱包材１０を巻き付けた面２ａにさらに梱包材１０を巻き付けたのち切断し、その先端部（切断部）を粘着テープ１３などで固定する。これにより、貯湯式給湯器１（外装ケース２）の１面２ａに緩衝材である梱包材１０が２重に巻かれて、補強面１４が形成される。
【００１９】
次に、図４に示すように、貯湯式給湯器１の外周に四角筒状に巻かれた梱包材１０（スリーブ）の上端部に天キャップ１５を嵌合し、結束バンド１６を周回させて結束することにより、貯湯式給湯器１の梱包が完了する。
【００２０】
図５は梱包材１０による貯湯式給湯器１の梱包の他の例を示すものである。本例は、貯湯式給湯器１を２回転させて外周に２重に梱包材１０を巻き付け、さらに９０°回転させて梱包材１０が３重に巻かれた補強面１４を形成したものである。
【００２１】
上記のようにして梱包材１０により梱包された貯湯式給湯器１は、図６に示すように、補強面１４を下にして運搬車２０の荷台２１に横積みされる。
また、梱包された貯湯式給湯器１を運搬車２０に積み込み又は積み降しするときは、図７に示すように、荷台２１の後縁部に補強面１４が当るようにして、荷台２１にずり上げ又はずり下げる。これにより、少ない人手で荷役を行うことができ、また、貯湯式給湯器１にかかる応力を補強面１４で抑制することができるため、損傷や変形を防止することができる。
【００２２】
上記の説明では、貯湯式給湯器１を本発明に係る梱包装置１０により梱包する場合を示したが、被梱包機器はこれに限定するものではなく、他の機器の梱包にも本発明を実施することができる。
また、外装ケース２内に１台の貯湯タンクを収容した場合を示したが、複数の貯湯タンクを縦方向に配置して外装ケース２内に収容した貯湯式給湯器にも本発明を実施することができる。
【００２３】
さらに、貯湯式給湯器１の外周の１つの面に、包装材１０を２重又は３重にした補強面１４を形成した場合を示したが、梱包する被梱包機器の形状、大きさ、重量などによって、複数の面に補強面１４を設けてもよく、また、梱包材１０を４重以上に重ね巻きして補強面１４を形成してもよい。
【００２４】
本発明によれば、被梱包機器である貯湯式給湯器１の外周に、緩衝材である梱包材１０を巻き付けてスリーブ状に形成するようにしたので、分割した段ボールを連結して四角筒状のスリーブを形成したり、梱包や開梱の際に貯湯式給湯器の上方に大きな空間部を確保する必要がなく、また、作業者が大型で重いスリーブを扱うこともない。
【００２５】
このため、自動化のための大きな設備を必要とせず、ごく簡単な設備で作業場所の制約を受けることなく、容易に梱包、開梱を行うことができるので、作業性が大幅に向上し、コストを低減することができる。また梱包には同じ材料を使用しているので、廃棄の際に分別などの手間を省くことができる。
【００２６】
また、貯湯式給湯器１の１面又は複数の面に、梱包材１０を２重又はそれ以上に重ねて補強面１４を形成したので、運搬、荷役、保管、さらには運搬車への荷積み、積み込み、積み降しの際に、補強面１４を下にすることにより貯湯式給湯器１に加わる衝撃が大幅に軽減され、破損や変形を防止することができる。
【符号の説明】
【００２７】
１  貯湯式給湯器、２  外装ケース、３ａ〜３ｂ  脚部、４  架台、５  ターンテーブル、１０  梱包材、１１  梱包材をロール状に巻いた原反、１２  基台、１３  粘着テープ、１４  補強面、１５  天キャップ。
【図１】
2010260558.tif 000003
【図２】
2010260558.tif 000004
【図３】
2010260558.tif 000005
【図４】
2010260558.tif 000006
【図５】
2010260558.tif 000007
【図６】
2010260558.tif 000008
【図７】
2010260558.tif 000009